(57)【要約】【課題】簡易な構成にて、シャッターを適切に開閉できる現像剤カートリッジ及び画像形成装置を実現することにある。【解決手段】現像剤を収容するための収容体と、該収容体に対して直進移動可能に支持され、直進移動することによって開閉するシャッターと、前記収容体に対して回転移動可能に支持され、把手部を有する把手部材と、該把手部材を回転移動させる回転力を、前記シャッターを直進移動させる直進力に変換する変換機構と、を備えたことを特徴とする現像剤カートリッジ。【選択図】図１５
2008015106.tif 000002
【特許請求の範囲】
【請求項１】
現像剤を収容するための収容体と、
該収容体に対して直進移動可能に支持され、直進移動することによって開閉するシャッターと、
前記収容体に対して回転移動可能に支持され、把手部を有する把手部材と、
該把手部材を回転移動させる回転力を、前記シャッターを直進移動させる直進力に変換する変換機構と、
を備えたことを特徴とする現像剤カートリッジ。
【請求項２】
請求項１に記載の現像剤カートリッジであって、
前記変換機構は、
前記シャッターに設けられたラック部と、前記把手部材に設けられ前記ラック部と係合可能なピニオン部と、を有し、
前記シャッターは、
前記ラック部と前記ピニオン部が係合した状態で前記把手部材が回転移動することにより、前記回転力が前記直進力に変換されて、直進移動することを特徴とする現像剤カートリッジ。
【請求項３】
請求項２に記載の現像剤カートリッジであって、
前記シャッターは、金属製であり、
前記把手部材は、樹脂製であり、
前記ラック部は、一定間隔で設けられた複数の穴によって構成されており、
前記ピニオン部は、一定間隔で設けられ前記穴と係合可能な複数の凸によって構成されていることを特徴とする現像剤カートリッジ。
【請求項４】
請求項１〜請求項３のいずれかに記載の現像剤カートリッジであって、
前記把手部材を、前記収容体に対して回転移動できないようにロックするための把手部材ロック部、を有し、
該把手部材ロック部は、
前記把手部材に設けられた突起部と、前記収容体に設けられ前記突起部を係止可能な係止部と、を有することを特徴とする現像剤カートリッジ。
【請求項５】
（ａ）画像形成装置本体と、
（ｂ）該画像形成装置本体に着脱可能な現像剤カートリッジであって、
現像剤を収容するための収容体と、
該収容体に対して直進移動可能に支持され、直進移動することによって開閉するシャッターと、
前記収容体に対して回転移動可能に支持され、把手部を有する把手部材と、
該把手部材を回転移動させる回転力を、前記シャッターを直進移動させる直進力に変換する変換機構と、
を備えた現像剤カートリッジと、
（ｃ）を有することを特徴とする画像形成装置。
【請求項６】
請求項５に記載の画像形成装置であって、
前記現像剤カートリッジは、前記把手部材を前記収容体に対して回転移動できないようにロックするための把手部材ロック部、を有し、
前記画像形成装置本体は、前記把手部材の前記収容体に対するロックを解除するためのロック解除部と、前記現像剤カートリッジが挿入されるカートリッジ挿入部と、を有し、
前記現像剤カートリッジが前記カートリッジ挿入部に挿入されていないときには、前記把手部材ロック部によるロックにより、前記把手部材の、前記収容体に対する回転移動が規制され、
前記現像剤カートリッジが前記カートリッジ挿入部に挿入された際には、前記ロック解除部により前記ロックが解除されることにより、前記把手部材の、前記回転移動が許容されることを特徴とする画像形成装置。
【請求項７】
請求項６に記載の画像形成装置であって、
前記ロック解除部による前記ロックの解除後に前記把手部が操作されて前記把手部材が回転移動する際に、
前記変換機構によって前記回転力が前記直進力に変換されて、前記シャッターが直進移動して開くことを特徴とする画像形成装置。
【請求項８】
請求項６または請求項７に記載の画像形成装置であって、
前記把手部材ロック部は、前記把手部材に設けられた突起部と、前記収容体に設けられ前記突起部を係止可能な係止部と、を有し、
前記ロック解除部は、前記突起部に接触して該突起部を変形させる凸部であり、
前記現像剤カートリッジが前記カートリッジ挿入部に挿入されていないときには、前記突起部が前記係止部に係止され、
前記現像剤カートリッジが前記カートリッジ挿入部に挿入された際には、前記凸部が前記突起部を変形させることにより、前記係止部の前記突起部に対する係止が解除されることを特徴とする画像形成装置。
【請求項９】
請求項６〜請求項８のいずれかに記載の画像形成装置であって、
前記現像剤カートリッジは、前記カートリッジ挿入部への挿入後に、前記把手部材の所定位置への回転移動により、前記画像形成装置本体に装着され、
前記収容体を前記カートリッジ挿入部に対しロックするための収容体ロック部、を有し、
該収容体ロック部は、
前記把手部材に設けられ、前記把手部材の回転移動に伴って移動するフックと、
前記カートリッジ挿入部に設けられた穴部であって、前記現像剤カートリッジが前記カートリッジ挿入部に挿入された際には、前記フックが通り抜け可能であり、かつ、前記現像剤カートリッジが前記画像形成装置本体に装着された際には、前記フックが通り抜け不可能な、穴部と、
を有することを特徴とする画像形成装置。
【請求項１０】
請求項９に記載の画像形成装置であって、
前記把手部材の前記所定位置への回転移動の際に、前記変換機構によって前記回転力が前記直進力に変換されて、前記シャッターが開き、
前記現像剤カートリッジが前記画像形成装置本体に装着された際には、
前記シャッターが、開いており、かつ、
前記収容体が、前記収容体ロック部によって前記カートリッジ挿入部にロックされていることを特徴とする画像形成装置。
【発明の詳細な説明】
【技術分野】
【０００１】
本発明は、現像剤カートリッジ、及び、画像形成装置に関する。
【背景技術】
【０００２】
レーザビームプリンタ等の画像形成装置は既によく知られている。かかる画像形成装置は、例えば、潜像を担持する像担持体と、現像剤によって像担持体に担持された潜像を現像剤像として可視化する現像部と、を有している。そして、画像形成装置は、コンピュータなどの外部装置から画像信号等が送信されると、像担持体に担持された潜像を、現像部によって現像剤像として可視化し、当該現像剤像を媒体に転写して、最終的に媒体に画像を形成する。
【０００３】
また、画像形成装置は、現像部に現像剤を補給するための現像剤カートリッジを有している。そして、この現像剤カートリッジは、例えば、現像剤を収容するための収容体と、開閉するシャッターとを備えており、シャッターが開いた際に、収容体の現像剤が現像部に補給される。また、現像剤カートリッジは、画像形成装置本体に着脱可能であり、着脱の際に該現像剤カートリッジを持つための把手部材を備えている。
【特許文献１】特開２００１−８３７８８号公報
【発明の開示】
【発明が解決しようとする課題】
【０００４】
ところで、収容体の現像剤を外部へ移動させる（例えば、現像部へ補給する）ためには、シャッターを適切に開閉させる必要がある。一方で、シャッターの開閉を適切に行うために複雑な機構を設けると、部品点数の増加を招く恐れがある。このため、簡易な構成にて、シャッターの開閉が適切に実施される手法が要請されている。
【０００５】
本発明は、かかる課題に鑑みてなされたものであり、その目的とするところは、簡易な構成にて、シャッターを適切に開閉できる現像剤カートリッジ及び画像形成装置を実現することにある。
【課題を解決するための手段】
【０００６】
前記課題を解決するために、主たる本発明は、現像剤を収容するための収容体と、該収容体に対して直進移動可能に支持され、直進移動することによって開閉するシャッターと、前記収容体に対して回転移動可能に支持され、把手部を有する把手部材と、該把手部材を回転移動させる回転力を、前記シャッターを直進移動させる直進力に変換する変換機構と、を備えたことを特徴とする現像剤カートリッジである。
【０００７】
本発明の他の特徴については、本明細書及び添付図面の記載により明らかにする。
【発明を実施するための最良の形態】
【０００８】
本明細書及び添付図面の記載により少なくとも次のことが明らかにされる。
【０００９】
現像剤を収容するための収容体と、該収容体に対して直進移動可能に支持され、直進移動することによって開閉するシャッターと、前記収容体に対して回転移動可能に支持され、把手部を有する把手部材と、該把手部材を回転移動させる回転力を、前記シャッターを直進移動させる直進力に変換する変換機構と、を備えたことを特徴とする現像剤カートリッジ。  
このような現像剤カートリッジによれば、変換機構により、把手部材を回転移動させる回転力を活用して、シャッターを直進移動させて開閉させるから、簡易な構成にて、シャッターを適切に開閉することが可能となる。
【００１０】
また、かかる現像剤カートリッジであって、前記変換機構は、前記シャッターに設けられたラック部と、前記把手部材に設けられ前記ラック部と係合可能なピニオン部と、を有し、前記シャッターは、前記ラック部と前記ピニオン部が係合した状態で前記把手部材が回転移動することにより、前記回転力が前記直進力に変換されて、直進移動することとしてもよい。  
変換機構が、ラック部とピニオン部を有する場合には、簡易に、前記回転力を前記直進力に変換することが可能となる。
【００１１】
また、かかる現像剤カートリッジであって、前記シャッターは、金属製であり、前記把手部材は、樹脂製であり、前記ラック部は、一定間隔で設けられた複数の穴によって構成されており、前記ピニオン部は、一定間隔で設けられ前記穴と係合可能な複数の凸によって構成されていることとしてもよい。  
シャッターが金属製である場合には、凸よりも穴の方が加工しやすいから、ラック部が穴によって構成されていることとすると、簡易に、ラック部を形成することが可能となる。
【００１２】
また、かかる現像剤カートリッジであって、前記把手部材を、前記収容体に対して回転移動できないようにロックするための把手部材ロック部、を有し、該把手部材ロック部は、前記把手部材に設けられた突起部と、前記収容体に設けられ前記突起部を係止可能な係止部と、を有することとしてもよい。  
かかる場合には、把手部材が複数の機能を有するから、部品点数を削減できる。
【００１３】
また、（ａ）画像形成装置本体と、（ｂ）該画像形成装置本体に着脱可能な現像剤カートリッジであって、現像剤を収容するための収容体と、該収容体に対して直進移動可能に支持され、直進移動することによって開閉するシャッターと、前記収容体に対して回転移動可能に支持され、把手部を有する把手部材と、該把手部材を回転移動させる回転力を、前記シャッターを直進移動させる直進力に変換する変換機構と、を備えた現像剤カートリッジと、（ｃ）を有することを特徴とする画像形成装置。  
このような画像形成装置によれば、変換機構により、把手部材を回転移動させる回転力を活用して、シャッターを直進移動させて開閉させるから、簡易な構成にて、シャッターを適切に開閉することが可能となる。
【００１４】
また、かかる画像形成装置であって、前記現像剤カートリッジは、前記把手部材を前記収容体に対して回転移動できないようにロックするための把手部材ロック部、を有し、前記画像形成装置本体は、前記把手部材の前記収容体に対するロックを解除するためのロック解除部と、前記現像剤カートリッジが挿入されるカートリッジ挿入部と、を有し、前記現像剤カートリッジが前記カートリッジ挿入部に挿入されていないときには、前記把手部材ロック部によるロックにより、前記把手部材の、前記収容体に対する回転移動が規制され、前記現像剤カートリッジが前記カートリッジ挿入部に挿入された際には、前記ロック解除部により前記ロックが解除されることにより、前記把手部材の、前記回転移動が許容されることとしてもよい。  
現像剤カートリッジが把手部材ロック部と有し、画像形成装置本体がロック解除部を有する場合には、現像剤カートリッジがカートリッジ挿入部に挿入されていないときに、誤って把手部材が回転することを、簡易な構成にて確実に防止することが可能となる。
【００１５】
また、かかる画像形成装置であって、前記ロック解除部による前記ロックの解除後に前記把手部が操作されて前記把手部材が回転移動する際に、前記変換機構によって前記回転力が前記直進力に変換されて、前記シャッターが直進移動して開くこととしてもよい。  
かかる場合には、現像剤カートリッジがカートリッジ挿入部に挿入されていないときに、誤ってシャッターが開くことを、簡易な構成にて確実に防止することが可能となる。
【００１６】
また、かかる画像形成装置であって、前記把手部材ロック部は、前記把手部材に設けられた突起部と、前記収容体に設けられ前記突起部を係止可能な係止部と、を有し、前記ロック解除部は、前記突起部に接触して該突起部を変形させる凸部であり、前記現像剤カートリッジが前記カートリッジ挿入部に挿入されていないときには、前記突起部が前記係止部に係止され、前記現像剤カートリッジが前記カートリッジ挿入部に挿入された際には、前記凸部が前記突起部を変形させることにより、前記係止部の前記突起部に対する係止が解除されることとしてもよい。  
把手部材ロック部が突起部と係止部であり、ロック解除部が凸部である場合には、係止部の突起部に対する係止と、該係止の解除が実行されやすいから、簡易な構成にて、把手部材の収容体に対するロックと、該ロックの解除とを実現できる。
【００１７】
また、かかる画像形成装置であって、前記現像剤カートリッジは、前記カートリッジ挿入部への挿入後に、前記把手部材の所定位置への回転移動により、前記画像形成装置本体に装着され、前記収容体を前記カートリッジ挿入部に対しロックするための収容体ロック部、を有し、該収容体ロック部は、前記把手部材に設けられ、前記把手部材の回転移動に伴って移動するフックと、前記カートリッジ挿入部に設けられた穴部であって、前記現像剤カートリッジが前記カートリッジ挿入部に挿入された際には、前記フックが通り抜け可能であり、かつ、前記現像剤カートリッジが前記画像形成装置本体に装着された際には、前記フックが通り抜け不可能な、穴部と、を有することとしてもよい。  
収容体ロック部が、フックと穴部を有する場合には、簡易な構成にて、収容体のカートリッジ挿入部に対してロックでき、かつ、該ロックを解除することが可能となる。
【００１８】
また、かかる画像形成装置であって、前記把手部材の前記所定位置への回転移動の際に、前記変換機構によって前記回転力が前記直進力に変換されて、前記シャッターが開き、前記現像剤カートリッジが前記画像形成装置本体に装着された際には、前記シャッターが、開いており、かつ、前記収容体が、前記収容体ロック部によって前記カートリッジ挿入部にロックされていることとしてもよい。  
かかる場合には、現像剤カートリッジの装着後に、ユーザ等が操作する煩わしさが軽減されるから、利便性の高い画像形成装置を実現することが可能となる。
【００１９】
＝＝＝画像形成装置の概要＝＝＝
次に、図１、図２を用いて、『画像形成装置』としてレーザビームプリンタ（以下、プリンタともいう）１０を例にとって、その構成例及び動作例について説明する。図１は、プリンタ１０を構成する主要構成要素を示した図である。図２は、プリンタ１０の制御ユニット１００の構成を示したブロック図である。なお、図１には、矢印にて上下方向を示しており、例えば、給紙カセット９２は、プリンタ１０の下部に配置されており、露光ユニット４０は、プリンタ１０の上部に配置されている。
【００２０】
＜＜＜プリンタ１０の構成例＞＞＞
本実施の形態に係るプリンタ１０は、図１に示すように、プロセスユニット２０、露光ユニット４０、『現像剤カートリッジ』の一例としてのトナーカートリッジ６０、転写ユニット７０、定着ユニット８０、ユーザへの報知手段をなす表示ユニット（不図示）、これらのユニット等を制御しプリンタとしての動作を司る制御ユニット１００（図２）を有している。また、プロセスユニット２０は、図１に示すように、ユニットの骨格を成す樹脂製のユニットフレーム２１と、トナーカートリッジ６０が挿入可能なカートリッジ挿入部２２と、感光体３１と、更に、該感光体３１の回転方向に沿って、帯電器３２、現像部５０、ローラ３９を有している。
【００２１】
感光体３１は、その外周面に形成された感光層を有し、該感光層の表面に潜像を担持する。この感光体３１は、中心軸を中心に回転可能であり、本実施の形態においては、図１中の矢印で示すように反時計回りに回転する。  
帯電器３２は、感光体３１を帯電するためのものである。露光ユニット４０は、レーザを照射することによって帯電された感光体３１上に潜像を形成する装置である。この露光ユニット４０は、半導体レーザ、ポリゴンミラー、Ｆ−θレンズ等を有しており、パーソナルコンピュータ、ワードプロセッサ等の不図示のコンピュータから入力された画像信号に基づいて、変調されたレーザを帯電された感光体３１上に照射する。
【００２２】
現像部５０は、『現像剤』の一例としてのトナーで感光体３１上の潜像を現像する機能を有し、トナー収容部５１と、現像ローラ５２と、供給ローラ５３と、規制ブレード５４と、アジテータ５６と、を備えている。
【００２３】
トナー収容部５１は、トナーを収容するためのものである。現像ローラ５２は、その表面にトナーを担持して回転することにより、当該トナーを感光体３１と対向する現像位置に搬送する。現像ローラ５２は、感光体３１に接触しており、現像位置に搬送されたトナーにて感光体３１上に担持された潜像をトナー像として可視化する（すなわち、接触状態で現像する）。供給ローラ５３は、現像ローラ５２に当接する回転可能な部材であり、トナー収容部５１に収容されたトナーを現像ローラ５２に供給する機能と、現像後に現像ローラ５２に残存するトナーを現像ローラ５２から剥ぎ取る機能を有している。規制ブレード５４は、現像ローラ５２にその軸方向に沿って当接して、現像ローラ５２に担持されたトナーの層厚を規制し、また、現像ローラ５２に担持されたトナーに電荷を付与する。アジテータ５６は、回転することにより、トナーを撹拌する機能と、トナー収容部５１内のトナーを供給ローラ５３へ送る機能を有している。
【００２４】
トナーカートリッジ６０には、トナーが充填されており、トナーカートリッジ６０は、カートリッジ挿入部２２への挿入後に、プロセスユニット２０に装着される。そして、トナーカートリッジ６０は、ユニットフレーム２１に装着された状態で、充填されたトナーをトナー収容部５１に補給する。なお、トナーカートリッジ６０の構成については、後述する。
【００２５】
転写ユニット７０は、感光体３１に形成されたトナー像を媒体に転写するための装置である。ローラ３９は、感光体３１に当接して、媒体に転写されなかったトナー（トナー像）を、感光体３１表面上で均一に分散させるためのものである。  
定着ユニット８０は、定着ローラ８０ａと加圧ローラ８０ｂを有し、媒体上に転写されたトナー像を、加熱加圧して媒体に融着させて永久像とするための装置である。
【００２６】
制御ユニット１００は、図２に示すようにメインコントローラ１０１と、ユニットコントローラ１０２とで構成され、メインコントローラ１０１には画像信号及び制御信号が入力され、この画像信号及び制御信号に基づく指令に応じてユニットコントローラ１０２が前記各ユニット等を制御して画像を形成する。また、メインコントローラ１０１は、インターフェイス１１２を介してコンピュータと接続され、このコンピュータから入力された画像信号を記憶するための画像メモリ１１３を備えている
＜＜＜プリンタ１０の動作例＞＞＞
次に、このように構成されたプリンタ１０の動作について説明する。まず、不図示のコンピュータからの画像信号及び制御信号がインターフェイス（Ｉ／Ｆ）１１２を介してプリンタ１０のメインコントローラ１０１に入力されると、このメインコントローラ１０１からの指令に基づくユニットコントローラ１０２の制御により感光体３１、現像ローラ５２等が回転する。
【００２７】
感光体３１は、回転しながら、帯電位置において帯電器３２により順次帯電される。感光体３１の帯電された領域は、感光体３１の回転に伴って露光位置に至り、露光ユニット４０によって、画像情報に応じた潜像が該領域に形成される。感光体３１上に形成された潜像は、感光体３１の回転に伴って現像位置に至り、現像ローラ５２によってトナーで現像される。これにより、感光体３１上にトナー像が形成される。
【００２８】
感光体３１上に形成されたトナー像は、感光体３１の回転に伴って転写位置に至り、転写ユニット７０によって、媒体に転写される。なお、媒体は、給紙カセット９２から、給紙ローラ９４を介して転写ユニット７０へ搬送される。  
媒体に転写されたトナー像は、定着ユニット８０によって加熱加圧されて媒体に融着される。そして、トナー像が融着された媒体は、それぞれ一対の搬送ローラ９５と一対の排紙ローラ９６とを介して、排紙トレイ９８へ搬送される。  
一方、媒体に転写されなかった感光体３１上のトナーは、ローラ３９によって均一に分散される。そして、均一に分散されたトナーは、現像位置にて現像ローラ５２によって剥ぎ取られて、トナー収容部５１に回収される。
【００２９】
＝＝＝トナーカートリッジ６０及びその周辺の構成例＝＝＝
次に、図３〜図１１を用いて、トナーカートリッジ６０の構成例と、該トナーカートリッジ６０がプロセスユニット２０に装着されているときに該トナーカートリッジ６０の周辺に位置するプロセスユニット２０の部材の構成例について説明する。
【００３０】
図３は、トナーカートリッジ６０がカートリッジ挿入部２２に挿入された際の状態を示した図である。図４は、トナーカートリッジ６０がプロセスユニット２０に装着された際の状態を示した図である。図５は、ＣＲＧシャッター６３０が閉位置に位置する際の、トナーカートリッジ６０の正面図である。図６は、図５に示すトナーカートリッジ６０の背面図である。図７は、図５に示すトナーカートリッジ６０からＣＲＧシャッター６３０を取り除いた状態を示した図である。図８は、ＣＲＧシャッター６３０が開位置に位置する際の、トナーカートリッジ６０の正面図である。図９は、図８に示すトナーカートリッジ６０の背面図である。図１０は、トナーカートリッジ６０がカートリッジ挿入部２２に挿入されていない際の、プロセスユニット２０の上面図である。図１１は、挿入部シャッター２３０及びその周辺を示した図である。なお、図３〜図９には矢印にて上下方向が、図５〜図１１には矢印にて長手方向が、それぞれ示されている。
【００３１】
＜＜＜トナーカートリッジ６０の構成＞＞＞
まず、トナーカートリッジ６０の構成について、説明する。  
トナーカートリッジ６０は、カートリッジ本体（以下、「ＣＲＧ本体」とも呼ぶ）６１０と、『把手部材』の一例としての外カバー６２０と、『シャッター』の一例としてのＣＲＧシャッター６３０と、カートリッジシール（以下、「ＣＲＧシール」とも呼ぶ）６４０と、アジテータ６５０と、を有している。
【００３２】
ＣＲＧ本体６１０は、トナーを収容する『収容体』である。このＣＲＧ本体６１０は、図３に示すように、その断面形状が円となっている、円筒状の容器である。ＣＲＧ本体６１０は、図７に示すように、その外周面にまっすぐな壁である壁部６１１を有している。この壁部６１１は、長手方向の中央側に位置している。
【００３３】
また、壁部６１１には、ＣＲＧ本体６１０内のトナーがＣＲＧ本体６１０外へ向けて通過可能なＣＲＧ開口６１２が設けられている。そして、該ＣＲＧ開口６１２が露出している際には、ＣＲＧ本体６１０内のトナーが該ＣＲＧ開口６１２を通過して、トナーカートリッジ６０外へ移動可能となっている。ＣＲＧ本体６１０は、ＣＲＧシャッター６３０が移動する際に、該ＣＲＧシャッター６３０を直進移動させるガイドとなるガイド部６１４を有している。
【００３４】
また、ＣＲＧ本体６１０は、その長手方向において壁部６１１の外側に、ＣＲＧシャッター６３０と接触可能なリブ６１６を有している。このリブ６１６は、その長手方向がＣＲＧ本体６１０の長手方向と略直交するように、設けられている。また、リブ６１６は、その長手方向の一端側に位置し、ＣＲＧシャッター６３０が移動する際に該ＣＲＧシャッター６３０に接触しない湾曲部６１６ａ（図１６Ａ参照）と、その長手方向の他端側に位置し、ＣＲＧシャッター６３０が移動する際に該ＣＲＧシャッター６３０に接触する平坦部６１６ｂ（図１６Ａ参照）と、を有している。
【００３５】
また、ＣＲＧ本体６１０は、図６に示すように、その背面側で、かつ、長手方向中央側に、突起６１７を有している。また、ＣＲＧ本体６１０は、その下部に、トナーカートリッジ６０がカートリッジ挿入部２２に挿入された際に、プリンタ本体に設けられたコネクタ（不図示）と接触可能なＣＲＧコネクタ６１８、を有している。
【００３６】
外カバー６２０は、中空の円筒であり、ＣＲＧ本体６１０の外周面を覆っている。この外カバー６２０は、ＣＲＧ本体６１０に対して回動移動可能に支持されている。外カバー６２０は、その周面で、かつ、その長手方向の中央部に、把手部６２１を有しており、ユーザ等によって、該把手部６２１が操作されることにより、外カバー６２０が回転移動する構成となっている。
【００３７】
外カバー６２０は、図７に示すように、その長手方向の両端部に、一定間隔で設けられた複数の凸６２３によって構成されているピニオン部６２２、を有している。また、外カバー６２０は、その下部に、該外カバー６２０の回転移動に伴って移動するフック６２６を有している。
【００３８】
外カバー６２０は、図６と図９に示すように、把手部６２１が操作されて該外カバー６２０が回転移動する際に、ＣＲＧ本体６１０の突起６１７が該外カバー６２０に対して相対移動できるように、『穴部』の一例としての逃げ穴６２７を有している。また、外カバー６２０は、その一端側が逃げ穴６２７の縁部と繋がっており、その他端側が突起６１７に向かって延出しているレバー６２８、を有している。上述の突起６１７は、該レバー６２８を係止可能な『係止部』としての機能を有している。なお、レバー６２８が『突起部』の一例である。
【００３９】
ＣＲＧシール６４０は、図７に示すように、ＣＲＧ開口６１２を囲むように壁部６１１に固定されており、ＣＲＧ本体６１０とＣＲＧシャッター６３０の間からのトナーの漏れを防止するためのものである。このＣＲＧシール６４０は、中央部にＣＲＧシール開口６４２を有しており、該ＣＲＧシール開口６４２の大きさは、ＣＲＧ開口６１２の大きさとほぼ同じである。また、ＣＲＧシール６４０は、弾性を有するスポンジであり、ＣＲＧ本体６１０とＣＲＧシャッター６３０の間に挟まって圧縮されている。
【００４０】
ＣＲＧシャッター６３０は、ＣＲＧ本体６１０に対して直進移動可能に支持され、開位置（図８）と閉位置（図５）との間を直進移動することによって開閉する。そして、ＣＲＧシャッター６３０は、閉位置に位置する際にはＣＲＧシール開口６４２を塞ぎ、開位置に位置する際にはＣＲＧシール開口６４２を露出させる。
【００４１】
ＣＲＧシャッター６３０は、金属製の薄板であり、その長手方向の両端部がガイド部６１４に接触しながら、直進移動する構成となっている。
【００４２】
ＣＲＧシャッター６３０は、図５に示すように、その長手方向の中央で、かつ、短手方向の一端側にＣＲＧシャッター開口６３１を有しており、開位置に位置する際には、図４に示すように該ＣＲＧシャッター開口６３１がＣＲＧシール開口６４２に対向する位置に位置し、閉位置に位置する際には、図３に示すように該ＣＲＧシャッター開口６３１はＣＲＧシール開口６４２に対向しない位置に位置する。なお、ＣＲＧシャッター開口６３１の大きさは、ＣＲＧシール開口６４２の大きさよりも大きい。
【００４３】
また、ＣＲＧシャッター６３０は、図５に示すように、一定間隔で設けられた複数の穴６３３によって構成されているラック部６３２を有している。このラック部６３２の穴６３３に対して、ピニオン部６２２の凸６２３が、係合可能な構成となっている。
【００４４】
また、ＣＲＧシャッター６３０は、図５に示すように、閉位置から開位置へ移動（開移動）する際に、後述する挿入部シャッター２３０に接触可能な接触部６３４、を有している。この接触部６３４は、ＣＲＧシャッター６３０の短手方向一端にて、挿入部シャッター２３０側へ延出する延出部である。
【００４５】
また、ＣＲＧシャッター６３０は、ＣＲＧシャッター６３０の開位置から閉位置への移動（閉移動）において、途中の区間のみにて挿入部シャッター２３０に係合する係合片６３６（図５）、を有している。この係合片６３６は、弾性を有しており、ＣＲＧシャッター６３０の長手方向両端側の、リブ６１６に対向する位置に位置している。
【００４６】
アジテータ６５０は、図３に示すように、ＣＲＧ本体６１０の内部に、中心軸を中心として回転可能に設けられている。そして、アジテータ６５０は、回転することにより、ＣＲＧ本体６１０内のトナーをＣＲＧ開口６１２に向けて搬送する機能、及び、ＣＲＧ本体６１０内のトナーを撹拌する機能を有している。なお、アジテータ６５０は、図３中の矢印で示すように反時計方向に回転し、その中心軸の位置は、上下方向において、ＣＲＧ開口６１２の位置とほぼ同じである。
【００４７】
＜＜＜カートリッジ挿入部２２の構成＞＞＞
前述したように、プロセスユニット２０は、トナーカートリッジ６０が挿入されるカートリッジ挿入部２２を有している。  
このカートリッジ挿入部２２は、図１０と図１１に示すように、『穴部』の一例としてのロック用穴２１０と、『ロック解除部』の一例としてのロック解除凸部２２０と、挿入部シャッター２３０と、溝２４０と、貫通穴２５０と、挿入部開口２６０（図３）と、挿入部シール２７０と、を有している。
【００４８】
ロック用穴２１０は、トナーカートリッジ６０がカートリッジ挿入部２２に挿入された際には、外カバー６２０のフック６２６が通り抜け可能であり、かつ、トナーカートリッジ６０がプリンタに装着された際には、該フック６２６が通り抜け不可能な、穴である。
【００４９】
ロック解除凸部２２０は、外カバー６２０のＣＲＧ本体６１０に対するロックを解除するためのものであり、ロック解除凸部２２０が、外カバー６２０のレバー６２８に接触して該レバー６２８を変形させることにより、突起６１７のレバー６２８に対する係止が解除される。
【００５０】
溝２４０は、トナーカートリッジ６０をカートリッジ挿入部２２に挿入する際のガイドの機能を有している。すなわち、ＣＲＧコネクタ６１８が該溝２４０に沿って進入することにより、トナーカートリッジ６０がカートリッジ挿入部２２に挿入されることとなる。
【００５１】
貫通穴２５０は、トナーカートリッジ６０のＣＲＧコネクタ６１８が貫通可能な穴である。そして、トナーカートリッジ６０がカートリッジ挿入部２２に挿入された際には、貫通穴２５０を貫通したＣＲＧコネクタ６１８が、プリンタ本体に設けられたコネクタと接触する。
【００５２】
挿入部開口２６０は、図３や図４に示すように、トナー収容部５１とカートリッジ挿入部２２を仕切る仕切り壁２２ａに設けられており、該挿入部開口２６０が露出している際に、トナーカートリッジ６０内のトナーがトナー収容部５１に補給される。
【００５３】
挿入部シール２７０は、挿入部開口２６０を囲むように仕切り壁２２ａに固定されており、該仕切り壁２２ａと挿入部シャッター２３０の間からのトナーの漏れを防止するためのものである。この挿入部シール２７０は、図３に示すように、中央部に挿入部シール開口２７２を有しており、該挿入部シール開口２７２の大きさは、挿入部開口２６０の大きさと同じである。また、挿入部シール２７０は、ＣＲＧシール６４０同様、弾性を有するスポンジであり、仕切り壁２２ａと挿入部シャッター２３０の間で圧縮されている。
【００５４】
挿入部シャッター２３０は、仕切り壁２２ａに直進移動可能に支持され、開位置（図４）と閉位置（図３）との間を直進移動することによって開閉する。そして、挿入部シャッター２３０は、閉位置に位置する際には挿入部シール２７０を塞ぎ、開位置に位置する際には挿入部シール２７０を露出させる。
【００５５】
挿入部シャッター２３０は、金属製の薄板であり、その長手方向（該長手方向は、ＣＲＧシャッター６３０の長手方向に沿っている）の両端部が、仕切り壁２２ａに設けられたガイド部２８０に接触しながら、直進移動する構成となっている。
【００５６】
また、挿入部シャッター２３０は、図１１に示すように、その長手方向の中央部に、仕切り壁２２ａから遠ざかる方向に突出した突出部２３１、を有している。そして、この突出部２３１と仕切り壁２２ａの間にて、挿入部シール２７０が圧縮されている。
【００５７】
この突出部２３１は、挿入部シャッター開口２３２を有しており、挿入部シャッター２３０は、開位置に位置する際には、図４に示すように該挿入部シャッター開口２３２が挿入部シール開口２７２に対向する位置に位置し、閉位置に位置する際には、図３に示すように該挿入部シャッター開口２３２が挿入部シール開口２７２に対向しない位置に位置する。なお、挿入部シャッター開口２３２の大きさは、挿入部シール開口２７２の大きさよりも大きい。  
また、突出部２３１には、長手方向にて挿入部シャッター開口２３２の外側（長手方向両端側）に、ＣＲＧシャッター６３０の係合片６３６が係合可能な係合穴２３４、が設けられている。
【００５８】
＝＝＝トナーカートリッジ着脱の際のトナーカートリッジ及びその周辺の動作例＝＝＝
次に、図３〜図１１、図１２Ａ〜図１２Ｄ、図１３Ａ、図１３Ｂ、図１４Ａ、図１４Ｂ、図１５Ａ、図１５Ｂ、図１６Ａ〜図１６Ｃ、図１７Ａ〜図１７Ｄを用いて、トナーカートリッジ６０着脱の際のトナーカートリッジ及びその周辺の動作例について、説明する。
【００５９】
図１２Ａ〜図１２Ｄは、外カバー６２０のＣＲＧ本体６１０に対するロックと、該ロックの解除を説明するための図であり、図１２Ａは、トナーカートリッジ６０がカートリッジ挿入部２２に挿入されていないときに、突起６１７がレバー６２８を係止している状態を示した図である。図１２Ｂは、トナーカートリッジ６０がカートリッジ挿入部２２に挿入された際に、突起６１７のレバー６２８に対する係止が解除されている状態を示した図である。図１２Ｃは、トナーカートリッジ６０がプロセスユニット２０に装着された際に、突起６１７のレバー６２８に対する係止が解除されている状態を示した図である。図１２Ｄは、図１２Ｂ中のＡ方向から、突起６１７等を示した図である。
【００６０】
図１３Ａ〜図１３Ｄは、ＣＲＧ本体６１０のカートリッジ挿入部２２に対するロックと、該ロックの解除を説明するための図であり、図１３Ａは、トナーカートリッジ６０がカートリッジ挿入部２２に挿入された際の、フック６２６とロック用穴２１０の位置関係を示した図である。図１３Ｂは、図１３ＡのＸ−Ｘ断面図である。図１３Ｃは、トナーカートリッジ６０がプロセスユニット２０に装着された際の、フック６２６とロック用穴２１０の位置関係を示した図である。図１３Ｄは、図１３ＣのＹ−Ｙ断面図である。
【００６１】
図１４Ａは、トナーカートリッジ６０がカートリッジ挿入部２２に挿入された際の、ＣＲＧシャッター６３０と挿入部シャッター２３０の周辺部を示した図である。図１４Ｂは、トナーカートリッジ６０がプロセスユニット２０に装着された際の、ＣＲＧシャッター６３０と挿入部シャッター２３０の周辺部を示した図である。
【００６２】
図１５Ａ〜図１５Ｃは、外カバー６２０を回転移動させる回転力を、ＣＲＧシャッター６３０を直進移動させる直進力に変換するメカニズムを説明するための図であり、図１５Ａは、ＣＲＧシャッター６３０が閉位置に位置する際の、ラック部６３２とピニオン部６２２を示した図である。図１５Ｂは、移動中のＣＲＧシャッター６３０の接触部６３４が、挿入部シャッター２３０に接触した際の、ラック部６３２とピニオン部６２２を示した図である。図１５Ｃは、ＣＲＧシャッター６３０が開位置に位置する際の、ラック部６３２とピニオン部６２２を示した図である。
【００６３】
図１６Ａ〜図１６Ｃは、ＣＲＧシャッター６３０と挿入部シャッター２３０の開移動を説明するための図であり、図１６Ａは、ＣＲＧシャッター６３０が閉位置に位置する際の、係合片６３６とリブ６１６の位置関係を示した図である。図１６Ｂは、移動中のＣＲＧシャッター６３０の接触部６３４が、挿入部シャッター２３０に接触した際の、係合片６３６とリブ６１６の位置関係を示した図である。図１６Ｃは、ＣＲＧシャッター６３０が開位置に位置する際の、係合片６３６とリブ６１６の位置関係を示した図である。
【００６４】
図１７Ａ〜図１７Ｄは、ＣＲＧシャッター６３０と挿入部シャッター２３０の閉移動を説明するための図であり、図１７Ａは、ＣＲＧシャッター６３０が開位置に位置する際の、係合片６３６とリブ６１６の位置関係を示した図である。図１７Ｂは、移動中のＣＲＧシャッター６３０の係合片６３６が、挿入部シャッター２３０に係合した際の、係合片６３６とリブ６１６の位置関係を示した図である。図１７Ｃは、挿入部シャッター２３０が、係合片６３６に操作されて、閉位置に至った際の、係合片６３６とリブ６１６の位置関係を示した図である。図１７Ｄは、ＣＲＧシャッター６３０が閉位置に位置する際の、係合片６３６とリブ６１６の位置関係を示した図である。
【００６５】
なお、図１３Ａと図１３Ｃでは、説明の都合上、トナーカートリッジ６０のフック６２６以外の部分が、図示されていない。また、図１２Ａ〜図１２Ｃ、図１３Ｂ、図１３Ｄ、図１４Ａ、図１４Ｂ、図１５Ａ〜図１５Ｃ、図１６Ａ〜図１６Ｃ、図１７Ａ〜図１７Ｄには、矢印にて上下方向が示され、図１２Ａ〜図１２Ｄ、図１３Ａ〜図１３Ｄには、矢印にて長手方向が示されている。
【００６６】
＜＜トナーカートリッジ装着の際のトナーカートリッジ及び周辺部材の動作例＞＞
まず、トナーカートリッジ６０をプロセスユニット２０に装着するときのトナーカートリッジ６０及び周辺部材の動作例について説明する。
【００６７】
［１．初期状態について］
ここでは、トナーカートリッジ６０及び周辺部材の初期状態、すなわち、トナーカートリッジ６０がプロセスユニット２０のカートリッジ挿入部２２に挿入される前の、トナーカートリッジ６０及び周辺部材の状態、について説明する。
【００６８】
トナーカートリッジ６０がカートリッジ挿入部２２に挿入されていないときには、図５に示すように、ＣＲＧシャッター６３０が閉位置にて静止しており、ＣＲＧシール６４０のＣＲＧシール開口６４２（ＣＲＧ開口６１２）は塞がれている。
【００６９】
また、トナーカートリッジ６０がカートリッジ挿入部２２に挿入されていないときには、外カバー６２０のレバー６２８は、図６に示すように、ＣＲＧ本体６１０の突起６１７に接触しており、該突起６１７によって係止されている。このため、トナーカートリッジ６０がカートリッジ挿入部２２に挿入されていないときには、外カバー６２０のＣＲＧ本体６１０に対する回転移動が規制される。このように、突起６１７とレバー６２８は、外カバー６２０をＣＲＧ本体６１０に対して回転移動できないようにロックするための『把手部材ロック部』を構成する。
【００７０】
また、ピニオン部６２２を構成する複数の凸６２３の一部が、ラック部６３２を構成する複数の穴６３３の一部と係合している（図１５Ａ参照）。ＣＲＧシャッター６３０の係合片６３６は、リブ６１６の湾曲部６１６ａに対向して（ただし、湾曲部６１６ａに接触していない）、平坦部６１６ｂに接触しないから、該平坦部６１６ｂに押されない（図１６Ａ参照）。
【００７１】
カートリッジ挿入部２２側に着目すると、図１１に示すように、挿入部シャッター２３０が閉位置にて静止しており、挿入部シール２７０の挿入部シール開口２７２（挿入部開口２６０）は塞がれている。
【００７２】
［２．トナーカートリッジ６０がカートリッジ挿入部２２に挿入される迄の動作について］
ここでは、トナーカートリッジ６０がカートリッジ挿入部２２に挿入されるまでの、すなわち、図３に示される状態になるまでの、トナーカートリッジ６０等の動作について、説明する。
【００７３】
ユーザ等が、把手部６２１を持って、トナーカートリッジ６０をカートリッジ挿入部２２に向けて下ろすと、ＣＲＧコネクタ６１８が溝２４０に沿って進入して、該トナーカートリッジ６０がカートリッジ挿入部２２に挿入される。そして、トナーカートリッジ６０がカートリッジ挿入部２２に挿入された際には、図１４Ａに示すように、ＣＲＧシャッター６３０と挿入部シャッター２３０は、対向するように隣り合うこととなる。
【００７４】
また、トナーカートリッジ６０がカートリッジ挿入部２２に挿入された際には、ロック解除凸部２２０によって、外カバー６２０のＣＲＧ本体６１０に対するロックが解除される。すなわち、トナーカートリッジ６０がカートリッジ挿入部２２に挿入されていないときには、図１２Ａに示すように、レバー６２８が突起６１７に係止されているが、トナーカートリッジ６０がカートリッジ挿入部２２に挿入された際には、図１２Ｂに示すように、ロック解除凸部２２０がレバー６２８に接触して変形させることにより、突起６１７のレバー６２８に対する係止が解除される。このため、トナーカートリッジ６０がカートリッジ挿入部２２に挿入された際には、ロック解除凸部２２０により前記ロックが解除されることにより、外カバー６２０の、前記回転移動が許容されることとなる。
【００７５】
また、トナーカートリッジ６０がカートリッジ挿入部２２に挿入される際に、ＣＲＧコネクタ６１８が、貫通穴２５０を貫通し、トナーカートリッジ６０がカートリッジ挿入部２２に挿入されたときには、ＣＲＧコネクタ６１８が、プリンタ本体に設けられたコネクタと接触する。
【００７６】
また、トナーカートリッジ６０がカートリッジ挿入部２２に挿入される途中に、フック６２６が、ロック用穴２１０を通り抜け、トナーカートリッジ６０がカートリッジ挿入部２２に挿入された際には、図１３Ａに示すように、フック６２６が、ロック用穴２１０を通り抜け可能な状態を維持している。
【００７７】
また、トナーカートリッジ６０がカートリッジ挿入部２２に挿入される際に、ＣＲＧシャッター６３０は閉位置にて静止しており、係合片６３６は、図１６Ａに示すように、リブ６１６（平坦部６１６ｂ）に押されていないから、挿入部シャッター２３０側へ突出せず、係合穴２３４に係合しない。
【００７８】
［３．把手部が操作される際の動作について］
ここでは、閉位置に位置するＣＲＧシャッター６３０が、開位置に至るまでの、すなわち、図３に示される状態から図４に示される状態になるまでの、トナーカートリッジ６０等の動作について、説明する。
【００７９】
ロック解除凸部２２０による突起６１７のレバー６２８に対する係止の解除後に、ユーザ等が、把手部６２１を所定の方向（図３に示す矢印の方向）に押す（操作する）ことによって、外カバー６２０が回転移動を開始する。なお、外カバー６２０の回転移動の際に、図１２Ｂ〜図１２Ｄに示すように、ロック解除凸部２２０がレバー６２８に接触する状態が維持されるから、外カバー６２０の回転移動中に突起６１７がレバー６２８を係止しない。
【００８０】
そして、外カバー６２０の回転移動の際に、ＣＲＧシャッター６３０が直進移動する。すなわち、ユーザ等が把手部６２１を押す力が、外カバー６２０に、該外カバー６２０を回転移動させる回転力として伝達される。そして、ラック部６３２とピニオン部６２２が係合した状態で外カバー６２０が回転移動することにより、前記回転力が、ピニオン部６２２とラック部６３２を介して、ＣＲＧシャッター６３０に、該ＣＲＧシャッター６３０を直進移動させる直進力に変換されて、伝達される。そして、ＣＲＧシャッター６３０は、前記直進力によって、ガイド部６１４に接触しながら直進移動することとなる。このように、ラック部６３２とピニオン部６２２は、前記回転力を前記直進力に変換する『変換機構』としての機能を有する。
【００８１】
そして、ユーザ等によって把手部６２１が図３に示す位置から図４に示す位置まで押される（これに伴い、外カバー６２０が回転移動する）ことにより、図１５Ａ〜図１５Ｃに示すように、ＣＲＧシャッター６３０が、閉位置から開位置まで直進移動（開移動）することとなる。なお、把手部６２１が図４に示す位置まで押されると、トナーカートリッジ６０がカートリッジ挿入部２２に装着されることとなる。そして、トナーカートリッジ６０がカートリッジ挿入部２２に装着された際には、図１４Ｂに示すように、ＣＲＧシャッター６３０が開いた状態となる。
【００８２】
また、ＣＲＧシャッター６３０が直進移動する際に、該ＣＲＧシャッター６３０の接触部６３４によって、挿入部シャッター２３０もガイド部２８０に接触しながら直進移動する。  
すなわち、ＣＲＧシャッター６３０が閉位置に位置するときには、図１６Ａに示すように、接触部６３４が挿入部シャッター２３０に接触していないが、ＣＲＧシャッター６３０が閉位置から移動した直後に、図１６Ｂに示すように、接触部６３４が挿入部シャッター２３０に接触する。そして、ＣＲＧシャッター６３０がさらに移動する際に、接触部６３４が、挿入部シャッター２３０に接触して押す（具体的には、押し下げる）ことにより、図１６Ｃに示すように、挿入部シャッター２３０が、閉位置から開位置へ直進移動することとなる。
【００８３】
さらに、挿入部シャッター２３０は、接触部６３４に押されて直進移動するから、ＣＲＧシャッター６３０が閉位置に至るタイミングと、挿入部シャッター２３０が閉位置に至るタイミングは、同じとなる。なお、挿入部シャッター２３０が閉位置から開位置へ直進移動する際には、図１６Ｂと図１６Ｃに示すように、ＣＲＧシャッター６３０の係合片６３６は、リブ６１６の平坦部６１６ｂにより押されて弾性変形するが、挿入部シャッター２３０の係合穴２３４に係合しない（接触しない）。
【００８４】
また、ＣＲＧシャッター６３０が閉位置から開位置へ移動することにより、図４に示すように、ＣＲＧシール開口６４２が、対向するＣＲＧシャッター開口６３１を介して露出することとなる。同様に、挿入部シャッター２３０が閉位置から開位置へ移動することにより、挿入部シール開口２７２も、対向する挿入部シャッター開口２３２を介して露出することとなる。さらに、ＣＲＧシャッター６３０と挿入部シャッター２３０が、それぞれ閉位置に位置する際に、図１４Ｂに示すように、ＣＲＧシャッター２３０に押圧されたＣＲＧシール６４０と、挿入部シャッター２３０に押圧された挿入部シール２７０が、接触する。
【００８５】
また、ユーザ等によって把手部６２１が図３に示す位置から図４に示す位置まで押される（これに伴い、外カバー６２０が回転移動する）と、ＣＲＧ本体６１０がカートリッジ挿入部２２に対しロックされる。  
すなわち、把手部６２１が図３に示す位置に位置する際（別言すれば、トナーカートリッジ６０がカートリッジ挿入部２２に挿入された際）には、図１３Ａと図１３Ｂに示すように、外カバー６２０のフック６２６が、ロック用穴２１０を通り抜け可能な状態となっている。そして、把手部６２１が押されることにより、外カバー６２０の移動に伴って移動するフック６２６が、図１３Ａに示す矢印の方向に移動し、把手部６２１が図４に示す位置（トナーカートリッジ６０がカートリッジ挿入部２２に装着された状態となる位置）に至ると、フック６２６が、図１３Ｃに示す位置に至る。かかる際には、図１３Ｄに示すように、壁２１０ａが障害物となるから、該フック６２６が、ロック用穴２１０を通り抜け不可能な状態となっている。このように、フック６２６とロック用穴２１０が、ＣＲＧ本体６１０をカートリッジ挿入部２２に対しロックするための『収容体ロック部』を構成する。
【００８６】
上述したように、把手部６２１が操作されて外カバー６２０等が動作することにより、トナーカートリッジ６０がプロセスユニット２０に装着されることとなる。そして、トナーカートリッジ６０の装着後に、ＣＲＧ本体６１０内のアジテータ６５０が回転することにより、ＣＲＧ本体６１０内のトナーが、ＣＲＧ開口６１２と挿入部開口２６０を介して、トナー収容部５１に補給されることとなる。
【００８７】
＜＜トナーカートリッジ取り外しの際のトナーカートリッジ及び周辺の動作例＞＞
次に、トナーカートリッジ６０をプロセスユニット２０から取り外すときのトナーカートリッジ６０及び周辺部材の動作例について説明する。
【００８８】
［１．初期状態について］
ここでは、トナーカートリッジ６０及び周辺部材の初期状態、すなわち、トナーカートリッジ６０がプロセスユニット２０に装着されているときの、トナーカートリッジ６０及び周辺部材の状態、について説明する。
【００８９】
トナーカートリッジ６０がプロセスユニット２０に装着されているときには、図１４Ｂに示すように、ＣＲＧシャッター６３０と挿入部シャッター２３０が、それぞれ開位置にて静止している。そして、トナーカートリッジ６０のトナーが、互いに対向するＣＲＧシール開口６４２と挿入部シール開口２７２を通過して、トナー収容部５１に移動可能な状態となっている。また、図１５Ｃに示すように、外カバー６２０のピニオン部６２２を構成する複数の凸６２３の一部が、ＣＲＧシャッター６３０のラック部６３２を構成する複数の穴６３３の一部と、係合している。
【００９０】
また、図１７Ａに示すように、ＣＲＧシャッター６３０の接触部６３４が、挿入部シャッター２３０に接触している。また、ＣＲＧシャッター６３０の係合片６３６は、リブ６１６の平坦部６１６ｂに接触して、該平坦部６１６ｂに押されているが、挿入部シャッター２３０の係合穴２３４に係合していない（接触していない）。
【００９１】
ＣＲＧシール６４０は、ＣＲＧシャッター５３０と壁部６１１の間で圧縮されており、そのＣＲＧシール開口６４２が、露出している。同様に、挿入部シール２７０は、挿入部シャッター２３０と仕切り壁２２ａの間で圧縮されており、挿入部シール開口２７２が、露出している。また、図１４Ｂに示すように、ＣＲＧシャッター６３０に押圧されたＣＲＧシール６４０と、挿入部シャッター２３０に押圧された挿入部シール２７０が、接触している。
【００９２】
また、外カバー６２０のフック６２６は、図１３Ｃに示す位置に位置しており、図１３Ｄに示すように、壁２１０ａが障害物となるから、該フック６２６は、ロック用穴２１０を通り抜け不可能な状態となっている。すなわち、ＣＲＧ本体６１０は、カートリッジ挿入部２２に対しロックされている。
【００９３】
また、図１２Ｃに示すように、ロック解除凸部２２０がレバー６２８を変形させているから、突起６１７は、レバー６２８を係止しておらず、外カバー６２０が回転移動可能な状態となっている。また、ＣＲＧコネクタ６１８は、プリンタ本体に設けられたコネクタと接触している。
【００９４】
［２．シャッターが閉動作する際のトナーＣＲＧ等の動作について］
ここでは、開位置に位置するＣＲＧシャッター６３０が、閉位置に至るまでの、すなわち、図４に示される状態から図３に示される状態になるまでの、トナーカートリッジ６０等の動作について、説明する。
【００９５】
突起６１７のレバー６２８に対する係止が解除されているので、ユーザ等が、把手部６２１を所定の方向（図４に示す矢印の方向）に押す（操作する）ことによって、外カバー６２０が回転移動を開始する。なお、外カバー６２０の回転移動の際に、図１２Ｂ〜図１２Ｄに示すように、ロック解除凸部２２０がレバー６２８に接触する状態が維持されるから、外カバー６２０の回転移動中に突起６１７がレバー６２８を係止しない。
【００９６】
そして、外カバー６２０の回転移動に伴って、ＣＲＧシャッター６３０が直進移動する。すなわち、ユーザ等が把手部６２１を押す力が、外カバー６２０に、該外カバー６２０を回転移動させる回転力として伝達される。そして、ラック部６３２とピニオン部６２２が係合した状態で外カバー６２０が回転移動することにより、前記回転力が、ピニオン部６２２とラック部６３２を介して、ＣＲＧシャッター６３０に、該ＣＲＧシャッター６３０を直進移動させる直進力として伝達される。そして、ＣＲＧシャッター６３０は、前記直進力によって、ガイド部６１４に接触しながら直進移動することとなる。
【００９７】
そして、ユーザ等によって把手部６２１が図４に示す位置から図３に示す位置まで押される（これに伴い、外カバー６２０が回転移動する）ことにより、図１５Ａ〜図１５Ｃに示すように、ＣＲＧシャッター６３０が、開位置から閉位置まで直進移動（閉移動）することとなる。なお、把手部６２１が図３に示す位置まで押されると、ＣＲＧシャッター６３０が閉じた状態となる。
【００９８】
また、ＣＲＧシャッター６３０が直進移動する際に、該ＣＲＧシャッター６３０の係合片６３６によって、挿入部シャッター２３０もガイド部２８０に接触しながら直進移動する。  
すなわち、ＣＲＧシャッター６３０が開位置に位置するときには、図１７Ａに示すように、係合片６３６は、リブ６１６の平坦部６１６ｂに押されて弾性変形している（挿入部シャッター２３０側へ突出している）が、係合穴２３４に係合していない（なお、係合片６３６は、係合穴２３４に入り込んでいる）。そして、ＣＲＧシャッター６３０が開位置から移動した直後に、図１７Ｂに示すように、弾性変形して挿入部シャッター２３０側へ突出している係合片６３６が、係合穴２３４に係合する（接触する）。そして、ＣＲＧシャッター６３０がさらに移動する際に、係合片６３６がＣＲＧシャッター６３０を押す（具体的には、押し上げる）ことにより、挿入部シャッター２３０を、開位置から図１７Ｃに示す閉位置へ移動させる。
【００９９】
ＣＲＧシャッター６３０は、挿入部シャッター２３０が閉位置に至った際に、閉位置に至っておらず、挿入部シャッター２３０が閉位置に至った後も、さらに直進移動が可能である。そして、ＣＲＧシャッター６３０は、さらに直進移動することにより、図１７Ｄに示す閉位置へ至る。かかる移動の際には、係合片６３６は、平坦部６１６ｂに接触せず（湾曲部６１６ａに対向する）、該平坦部６１６ｂに押されないから、係合穴２３４に係合しない。
【０１００】
なお、ＣＲＧシャッター６３０が開位置から閉位置へ直進移動する際には、図１７Ｂと図１７Ｃに示すように、該ＣＲＧシャッター６３０の接触部６３４は、挿入部シャッター２３０に接触しない。
【０１０１】
また、ＣＲＧシャッター６３０が開位置から閉位置へ移動することにより、ＣＲＧシール開口６４２（ＣＲＧ開口６１２）が、該ＣＲＧシャッター６３０によって塞がれることとなる（図１４Ａ）。同様に、挿入部シャッター２３０が開位置から閉位置へ移動することにより、挿入部シール開口２７２（挿入部開口２６０）も、該挿入部シャッター２３０によって塞がれることとなる。
【０１０２】
また、ユーザ等によって把手部６２１が図４に示す位置から図３に示す位置まで押される（これに伴い、外カバー６２０が回転移動する）と、ＣＲＧ本体６１０のカートリッジ挿入部２２に対するロックが、解除される。  
すなわち、把手部６２１が図４に示す位置に位置する際には、図１３Ｃと図１３Ｄに示すように、外カバー６２０のフック６２６が、ロック用穴２１０を通り抜け不可能な状態となっている。そして、把手部６２１が押されることにより、外カバー６２０の移動に伴って移動するフック６２６が、図１３Ｃに示す矢印の方向に移動し、把手部６２１が図３に示す位置に至ると、フック６２６が、図１３Ａに示す位置に至る。かかる際には、図１３Ｂに示すように、該フック６２６が、ロック用穴２１０を通り抜け可能な状態となっている。
【０１０３】
［３．トナーＣＲＧを取り外す際のトナーＣＲＧ等の動作について］
ここでは、ＣＲＧシャッター６３０が閉位置にて静止しているトナーカートリッジ６０を、カートリッジ挿入部２２から取り外すときの、トナーカートリッジ６０等の動作について、説明する。
【０１０４】
ユーザ等が、把手部６２１を持って、カートリッジ挿入部２２に挿入されたトナーカートリッジ６０を上方へ持ち上げると、該トナーカートリッジ６０がプロセスユニット２０から取り外される。すなわち、トナーカートリッジ６０を上方へ持ち上げる際に、フック６２６が図１３Ａと図１３Ｂに示す位置に位置するから、フック６２６がロック用穴２１０を通り抜けられ、トナーカートリッジ６０はプロセスユニット２０から取り外されることとなる。
【０１０５】
また、トナーカートリッジ６０が取り外される際に、外カバー６２０がＣＲＧ本体６１０に対して回転移動できないようにロックされる。すなわち、トナーカートリッジ６０がカートリッジ挿入部２２に挿入されているときには、図１２Ｂに示すように、ロック解除凸部２２０がレバー６２８に接触して変形させることにより、突起６１７が該レバー６２８を係止しないが、トナーカートリッジ６０が取り外される際には、図１２Ａに示すように、該ロック解除凸部２２０がレバー６２８に接触しないから、突起６１７がレバー６２８を係止することとなる。このため、トナーカートリッジ６０が取り外される際には、該突起６１７とレバー６２８によって、外カバー６２０がＣＲＧ本体６１０に対して回転移動できないようにロックされることとなる。
【０１０６】
＝＝＝本実施の形態に係るトナーカートリッジ６０の有効性について＝＝＝
上述したように、本実施の形態に係る『現像剤カートリッジ』（トナーカートリッジ６０）は、『現像剤』（トナー）を収容するための『収容体』（ＣＲＧ本体６１０）と、ＣＲＧ本体６１０に対して直進移動可能に支持され、直進移動することによって開閉する『シャッター』（ＣＲＧシャッター６３０）と、ＣＲＧ本体６１０に対して回転移動可能に支持され、把手部６２１を有する『把手部材』（外カバー６２０）と、外カバー６２０を回転移動させる回転力を、ＣＲＧシャッター６３０を直進移動させる直進力に変換する『変換機構』（ラック部６３２とピニオン部６２２）と、を備えている。これにより、簡易な構成にて、ＣＲＧシャッター６３０を適切に開閉することが可能となる。以下において、詳細に説明する。
【０１０７】
「発明が解決しようとする課題」で説明したように、ＣＲＧ本体６１０内のトナーを外部へ移動させる（具体的には、ＣＲＧ本体６１０内のトナーをトナー収容部５１へ補給する）ために、ＣＲＧシャッター６３０が適切に開閉されることが要請されている。一方で、ＣＲＧシャッター６３０の開閉を適切に行うために複雑な機構を設けると、部品点数の増加を招く恐れがある。
【０１０８】
これに対して、本実施形態においては、図１５Ａ〜図１５Ｃに示すように、変換機構（ＣＲＧシャッター６３０に設けられたラック部６３２と、外カバー６２０に設けられたピニオン部６２２）によって、外カバー６２０を回転移動させる回転力が、ＣＲＧシャッター６３０を直進移動させる直進力に変換される。具体的には、ユーザ等が外カバー６２０の把手部６２１を押す力が、外カバー６２０に、該外カバー６２０を回転移動させる回転力として伝達されると、ラック部６３２とピニオン部６２２が係合した状態で外カバー６２０が回転移動することにより、前記回転力が、ピニオン部６２２とラック部６３２を介して、ＣＲＧシャッター６３０に、該ＣＲＧシャッター６３０を直進移動させる直進力に変換されて、伝達される。これにより、ＣＲＧシャッター６３０は、前記直進力によって直進移動して、開閉することとなる。
【０１０９】
このように、変換機構により、外カバー６２０を回転移動させる回転力を活用して、ＣＲＧシャッター６３０を直進移動させて開閉させるから、簡易な構成にて、ＣＲＧシャッター６３０を適切に開閉することが可能となる。
【０１１０】
また、本実施形態においては、図１２Ｂに示すように、ロック解除凸部２２０による、外カバー６２０のＣＲＧ本体６１０に対するロックの解除後に、把手部６２１が操作されて外カバー６２０が回転移動する際に、前記変換機構によって前記回転力が前記直進力に変換されて、ＣＲＧシャッター６３０が直進移動して開く。これにより、トナーカートリッジ６０がカートリッジ挿入部２２に挿入された後に、ＣＲＧシャッター６３０が開くから、トナーカートリッジ６０がカートリッジ挿入部２２に挿入されていないときに、ＣＲＧシャッター６３０が誤って開くことを確実に防止できる。
【０１１１】
＝＝＝その他の実施形態＝＝＝
以上、上記実施の形態に基づき本発明に係る画像形成装置等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【０１１２】
また、上記実施の形態において、画像形成装置として、一つの感光体３１と一つの現像部５０を有するモノクロプリンタを例にとって説明したが、これに限定されるものではない。例えば、色毎に、独立の感光体３１と現像部５０を有する（いわゆるタンデム方式）カラープリンタにも、本発明を適用することができる。かかる場合には、トナーカートリッジ６０も色毎に存在し、各トナーカートリッジ６０は、それぞれ所定のカートリッジ挿入部にて着脱され、該トナーカートリッジ６０内のトナーが、各々対応する現像部に補給されることとなる。
【０１１３】
また、上記実施の形態において、トナーカートリッジ６０は、プリンタ本体に取り付けられたプロセスユニット２０に対して着脱されることとしたが、これに限定されるものではない。例えば、プロセスユニット２０がプリンタ本体に対して着脱可能なカートリッジであり、トナーカートリッジ６０が、プリンタ本体から取り外されたプロセスユニット２０に対して着脱されることとしてもよい。かかる場合には、トナーカートリッジ６０が装着された状態のプロセスユニット２０が、プリンタ本体に対して着脱されることとなる。
【０１１４】
さらに、上記実施の形態において、図１５Ａ〜図１５Ｃに示すように、前記変換機構は、ＣＲＧシャッター６３０に設けられたラック部６３２と、外カバー６２０に設けられラック部６３２と係合可能なピニオン部６２２と、を有することとした。そして、ＣＲＧシャッター６３０は、ラック部６３２とピニオン部６２２が係合した状態で外カバー６２０が回転移動することにより、前記回転力が前記直進力に変換されて、直進移動することとした。しかし、上記に限定されるものではない。例えば、変換機構は、ラック部とピニオン部以外の構成から成ることとしてもよい。  
ただし、変換機構が、ラック部６３２とピニオン部６２２を有する場合には、簡易に、外カバー６２０を回転移動させる回転力を、ＣＲＧシャッター６３０を直進移動させる直進力に変換することが可能となる。従って、上記実施形態の方がより望ましい。
【０１１５】
さらに、上記実施の形態において、ＣＲＧシャッター６３０は、金属製であり、外カバー６２０は、樹脂製であることとした。そして、図１５Ａ〜図１５Ｃに示すように、ラック部６３２は、一定間隔で設けられた複数の穴６３３によって構成されており、ピニオン部６２２は、一定間隔で設けられ前記穴６３３と係合可能な複数の凸６２３によって構成されていることとした。しかし、上記に限定されるものではない。例えば、ラック部６３２も、一定間隔で設けられ、ピニオン部６２２を構成する凸６２３と係合可能な、複数の凸によって構成されていることとしてもよい。  
ただし、ＣＲＧシャッター６３０が金属製である場合には、凸よりも穴の方が加工しやすいから、ラック部が穴によって構成されていることとすると、簡易に、ラック部を形成することが可能となる。従って、上記実施形態の方がより望ましい。
【０１１６】
さらに、上記実施の形態において、トナーカートリッジ６０は、図６に示すように、外カバー６２０をＣＲＧ本体６１０に対して回転移動できないようにロックするための『把手部材ロック部』（具体的には、突起６１７とレバー６２８）、を有し、『画像形成装置本体』（プリンタ本体のプロセスユニット２０）は、図１０に示すように、外カバー６２０のＣＲＧ本体６１０に対するロックを解除するための『ロック解除部』（ロック解除凸部２２０）と、トナーカートリッジ６０が挿入されるカートリッジ挿入部２２と、を有することとした。そして、トナーカートリッジ６０がカートリッジ挿入部２２に挿入されていないときには、図１２Ａに示すように、前記把手部材ロック部によるロックにより、外カバー６２０の、ＣＲＧ本体６１０に対する回転移動が規制され、トナーカートリッジ６０がカートリッジ挿入部２２に挿入された際には、図１２Ｂに示すように、ロック解除凸部２２０により前記ロックが解除されることにより、外カバー６２０の、前記回転移動が許容されることとした。しかし、上記に限定されるものではない。例えば、トナーカートリッジ６０がカートリッジ挿入部２２に挿入された後に前記ロックを解除するための専用部材、を別途設けることとしてもよい。  
ただし、トナーカートリッジ６０が把手部材ロック部（突起６１７とレバー６２８）を有し、プロセスユニット２０がロック解除凸部２２０を有する場合には、トナーカートリッジ６０がカートリッジ挿入部２２に挿入されていないときに、誤って外カバー６２０が回転する（ＣＲＧシャッター６３０が開く）ことを、簡単な構成にて確実に防止することが可能となる。従って、上記実施形態の方がより望ましい。
【０１１７】
さらに、上記実施の形態において、前記把手部材ロック部は、図６に示すように、外カバー６２０に設けられた『突起部』（レバー６２８）と、ＣＲＧ本体６１０に設けられレバー６２８を係止可能な『係止部』（突起６１７）と、を有することとした。また、ロック解除凸部２２０は、図１０に示すように、レバー６２８に接触して該レバー６２８を変形させる凸部であることとした。そして、トナーカートリッジ６０がカートリッジ挿入部２２に挿入されていないときには、図１２Ａに示すように、レバー６２８が突起６１７に係止され、トナーカートリッジ６０がカートリッジ挿入部２２に挿入された際には、図１２Ｂに示すように、ロック解除凸部２２０がレバー６２８を変形させることにより、突起６１７のレバー６２８に対する係止が解除されることとした。しかし、上記に限定されるものではない。例えば、把手部材ロック部は、レバー６２８と突起６１７以外の構成であり、ロック解除部は、レバー６２８を変形させる凸部以外の構成であることとしてもよい。  
ただし、把手部材ロック部が、レバー６２８と突起６１７であり、ロック解除部が凸部である場合には、突起６１７のレバー６２８に対する係止と、該係止の解除が実行されやすいから、簡易な構成にて、外カバー６２０のＣＲＧ本体６１０に対するロックと、該ロックの解除とを実現できる。従って、上記実施形態の方がより望ましい。
【０１１８】
さらに、上記実施の形態において、トナーカートリッジ６０は、カートリッジ挿入部２２への挿入後に、外カバー６２０の所定位置（図４に示す位置）への回転移動により、プリンタ本体（プロセスユニット２０）に装着されることとした。また、プリンタ１０は、ＣＲＧ本体６１０をカートリッジ挿入部２２に対しロックするための収容体ロック部、を有することとした。そして、該収容体ロック部は、外カバー６２０に設けられ、外カバー６２０の回転移動に伴って移動するフック６２６（図５）と、カートリッジ挿入部２２に設けられた『穴部』（ロック用穴２１０、図１０）であって、トナーカートリッジ６０がカートリッジ挿入部２２に挿入された際には、図１３Ａと図１３Ｂに示すように、フック６２６が通り抜け可能であり、かつ、トナーカートリッジ６０がプリンタ本体に装着された際には、図１３Ｃと図１３Ｄに示すように、フック６２６が通り抜け不可能な、ロック用穴２１０と、を有することとした。しかし、上記に限定されるものではない。例えば、収容体ロック部は、フック６２６とロック用穴２１０以外の構成であることとしてもよい。  
ただし、収容体ロック部が、フック６２６とロック用穴２１０を有する場合には、簡易な構成にて、ＣＲＧ本体６１０のカートリッジ挿入部２２に対しロックでき、かつ、該ロックを解除することが可能となる。従って、上記実施形態の方がより望ましい。
【０１１９】
さらに、上記実施の形態において、外カバー６２０の前記所定位置（図４に示す位置）への回転移動の際に、前記変換機構（ラック部６３２とピニオン部６２２）によって前記回転力が前記直進力に変換されて、ＣＲＧシャッター６３０が開くこととした。そして、トナーカートリッジ６０がプリンタ本体（プロセスユニット２０）に装着された際には、ＣＲＧシャッター６３０が、図１４Ｂに示すように開いており、かつ、ＣＲＧ本体６１０が、図１３Ｃと図１３Ｄに示すように、前記収容体ロック部（フック６２６とロック用穴２１０）によってカートリッジ挿入部２２にロックされていることとした。しかし、上記に限定されるものではない。例えば、トナーカートリッジ６０がプロセスユニット２０に装着された際には、ＣＲＧシャッター６３０が開いているが、ＣＲＧ本体６１０はカートリッジ挿入部２２にロックされておらず、トナーカートリッジ６０がプロセスユニット２０に装着された後に、ＣＲＧ本体６１０がカートリッジ挿入部２２にロックされることとしてもよい。  
ただし、トナーカートリッジ６０がプリンタ本体に装着された際に、ＣＲＧシャッター６３０が開いており、かつ、ＣＲＧ本体６１０がカートリッジ挿入部２２にロックされる場合には、装着後にユーザ等が操作する煩わしさが軽減されるから、利便性の高いプリンタ１０を実現することが可能となる。従って、上記実施形態の方がより望ましい。
【図面の簡単な説明】
【０１２０】
【図１】プリンタ１０を構成する主要構成要素を示した図である。
【図２】プリンタ１０の制御ユニット１００の構成を示したブロック図である。
【図３】トナーカートリッジ６０がカートリッジ挿入部２２に挿入された際の状態を示した図である。
【図４】トナーカートリッジ６０がプロセスユニット２０に装着された際の状態を示した図である。
【図５】ＣＲＧシャッター６３０が閉位置に位置する際の、トナーカートリッジ６０の正面図である。
【図６】図５に示すトナーカートリッジ６０の背面図である。
【図７】図５に示すトナーカートリッジ６０からＣＲＧシャッター６３０を取り除いた状態を示した図である。
【図８】ＣＲＧシャッター６３０が開位置に位置する際の、トナーカートリッジ６０の正面図である。
【図９】図８に示すトナーカートリッジ６０の背面図である。
【図１０】トナーカートリッジ６０がカートリッジ挿入部２２に挿入されていない際の、プロセスユニット２０の上面図である。
【図１１】挿入部シャッター２３０及びその周辺を示した図である。
【図１２】図１２Ａは、トナーカートリッジ６０がカートリッジ挿入部２２に挿入されていないときに、突起６１７がレバー６２８を係止している状態を示した図である。図１２Ｂは、トナーカートリッジ６０がカートリッジ挿入部２２に挿入された際に、突起６１７のレバー６２８に対する係止が解除されている状態を示した図である。図１２Ｃは、トナーカートリッジ６０がプロセスユニット２０に装着された際に、突起６１７のレバー６２８に対する係止が解除されている状態を示した図である。図１２Ｄは、図１２Ｂ中のＡ方向から、突起６１７等を示した図である。
【図１３】図１３Ａは、トナーカートリッジ６０がカートリッジ挿入部２２に挿入された際の、フック６２６とロック用穴２１０の位置関係を示した図である。図１３Ｂは、図１３ＡのＸ−Ｘ断面図である。図１３Ｃは、トナーカートリッジ６０がプロセスユニット２０に装着された際の、フック６２６とロック用穴２１０の位置関係を示した図である。図１３Ｄは、図１３ＣのＹ−Ｙ断面図である。
【図１４】図１４Ａは、トナーカートリッジ６０がカートリッジ挿入部２２に挿入された際の、ＣＲＧシャッター６３０と挿入部シャッター２３０の周辺部を示した図である。図１４Ｂは、トナーカートリッジ６０がプロセスユニット２０に装着された際の、ＣＲＧシャッター６３０と挿入部シャッター２３０の周辺部を示した図である。
【図１５】図１５Ａは、ＣＲＧシャッター６３０が閉位置に位置する際の、ラック部６３２とピニオン部６２２を示した図である。図１５Ｂは、移動中のＣＲＧシャッター６３０の接触部６３４が、挿入部シャッター２３０に接触した際の、ラック部６３２とピニオン部６２２を示した図である。図１５Ｃは、ＣＲＧシャッター６３０が開位置に位置する際の、ラック部６３２とピニオン部６２２を示した図である。
【図１６】図１６Ａは、ＣＲＧシャッター６３０が閉位置に位置する際の、ＣＲＧシャッター６３０と挿入部シャッター２３０の位置関係を示した図である。図１６Ｂは、移動中のＣＲＧシャッター６３０の接触部６３４が、挿入部シャッター２３０に接触した際の、ＣＲＧシャッター６３０と挿入部シャッター２３０の位置関係を示した図である。図１６Ｃは、ＣＲＧシャッター６３０が開位置に位置する際の、ＣＲＧシャッター６３０と挿入部シャッター２３０の位置関係を示した図である。
【図１７】図１７Ａは、ＣＲＧシャッター６３０が開位置に位置する際の、ＣＲＧシャッター６３０と挿入部シャッター２３０の位置関係を示した図である。図１７Ｂは、移動中のＣＲＧシャッター６３０の係合片６３６が、挿入部シャッター２３０に係合した際の、ＣＲＧシャッター６３０と挿入部シャッター２３０の位置関係を示した図である。図１７Ｃは、挿入部シャッター２３０が、係合片６３６に操作されて、閉位置に至った際の、ＣＲＧシャッター６３０と挿入部シャッター２３０の位置関係を示した図である。図１７Ｄは、ＣＲＧシャッター６３０が閉位置に位置する際の、ＣＲＧシャッター６３０と挿入部シャッター２３０の位置関係を示した図である。
【符号の説明】
【０１２１】
１０  プリンタ、２０  プロセスユニット、２１  ユニットフレーム、
２２  カートリッジ挿入部、２２ａ  仕切り壁、３１  感光体、３２  帯電器、
３９  ローラ、４０  露光ユニット、５０  現像部、５１  トナー収容部、
５２  現像ローラ、５３  供給ローラ、５４  規制ブレード、５６  アジテータ、
６０  トナーカートリッジ、７０  転写ユニット、
８０  定着ユニット、８０ａ  定着ローラ、８０ｂ  加圧ローラ、
９２  給紙カセット、９４  給紙ローラ、９５  搬送ローラ、
９６  排紙ローラ、９８  排紙トレイ、１００  制御ユニット、
１０１  メインコントローラ、１０２  ユニットコントローラ、
１１２  インターフェイス、１１３  画像メモリ、
２１０  ロック用穴、２２０  ロック解除凸部、２３０  挿入部シャッター、
２３１  突出部、２３２  挿入部シャッター開口、２３４  係合穴、２４０  溝、
２５０  貫通穴、２６０  挿入部開口、２７０  挿入部シール、
２７２  挿入部シール開口、２８０  ガイド部、
６１０  ＣＲＧ本体、６１１  壁部、６１２  ＣＲＧ開口、６１４  ガイド部、
６１６  リブ、６１６ａ  湾曲部、６１６ｂ  平坦部、６１７  突起、
６１８  ＣＲＧコネクタ、６２０  外カバー、６２１  把手部、
６２２  ピニオン部、６２３  凸、６２６  フック、６２７  逃げ穴、
６２８  レバー、６３０  ＣＲＧシャッター、６３１  ＣＲＧシャッター開口、
６３２  ラック部、６３３  穴、６３４  接触部、６３６  係合片、
６４０  ＣＲＧシール、６４２  ＣＲＧシール開口、６５０  アジテータ
【図１】
2008015106.tif 000003
【図２】
2008015106.tif 000004
【図３】
2008015106.tif 000005
【図４】
2008015106.tif 000006
【図５】
2008015106.tif 000007
【図６】
2008015106.tif 000008
【図７】
2008015106.tif 000009
【図８】
2008015106.tif 000010
【図９】
2008015106.tif 000011
【図１０】
2008015106.tif 000012
【図１１】
2008015106.tif 000013
【図１２】
2008015106.tif 000014
【図１３】
2008015106.tif 000015
【図１４】
2008015106.tif 000016
【図１５】
2008015106.tif 000017
【図１６】
2008015106.tif 000018
【図１７】
2008015106.tif 000019